(57)【特許請求の範囲】
【請求項１】
ワイヤレス通信デバイスにおける方法において、
セクタのクラスターを構成する複数の送信セクタから受信した複数の信号のそれぞれの受信信号強度を決定することと、
最も高い受信信号強度を有する信号と、前記最も高い受信信号強度と比較した特定レベルを上回る受信信号強度を有する信号とを含む第１の信号に対する第１のチャネル情報を提供することと、
前記特定レベルを下回る受信信号強度を有する信号を含む第２の信号に対する第２のチャネル情報を提供することと、
前記第１のチャネル情報のランキングに基づいて、割り当てられた送信セクタからの１つ以上のリソースブロックの割り振りを受信することとを含み、
前記第２のチャネル情報に基づいて、別の送信セクタからの１つ以上のさらなるリソースブロックが、別のワイヤレス通信デバイスに再割り振りされる方法。
【請求項２】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項１記載の方法。
【請求項３】
前記チャネル状態情報は、チャネル品質インジケータを含む請求項２記載の方法。
【請求項４】
前記ワイヤレス通信デバイスにおいて前記最も高い受信信号強度を有する信号を送信する送信セクタに、前記第１のチャネル情報と前記第２のチャネル情報が提供される請求項１記載の方法。
【請求項５】
前記ワイヤレス通信デバイスは、前記セクタのクラスターのうちの第１の送信セクタ中に位置し、前記別のワイヤレス通信デバイスは、前記セクタのクラスター中の別の送信セクタ中に位置する請求項１記載の方法。
【請求項６】
前記割り当てられた送信セクタからの１つ以上のリソースブロックの割り振りは、前記ワイヤレス通信デバイスによる、調整されたマルチポイント送信をサポートするように構成されている請求項１記載の方法。
【請求項７】
ワイヤレス通信デバイスにおいて、
セクタのクラスターを構成する複数の送信セクタから受信した複数の信号のそれぞれの受信信号強度を決定するように構成され、
最も高い受信信号強度を有する信号と、前記最も高い受信信号強度と比較した特定レベルを上回る受信信号強度を有する信号とを含む第１の信号に対する第１のチャネル情報を提供するように構成され、
前記特定レベルを下回る受信信号強度を有する信号を含む第２の信号に対する第２のチャネル情報を提供するように構成され、
前記第１のチャネル情報のランキングに基づいて、割り当てられた送信セクタからの１つ以上のリソースブロックの割り振りを受信するように構成されている少なくとも１つのプロセッサを具備し、
前記第２のチャネル情報に基づいて、別の送信セクタからの１つ以上のさらなるリソースブロックが、別のワイヤレス通信デバイスに再割り振りされるワイヤレス通信デバイス。
【請求項８】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項７記載のワイヤレス通信デバイス。
【請求項９】
前記チャネル状態情報は、チャネル品質インジケータを含む請求項８記載のワイヤレス通信デバイス。
【請求項１０】
前記少なくとも１つのプロセッサは、前記ワイヤレス通信デバイスにおいて前記最も高い受信信号強度を有する信号を送信する送信セクタに、前記第１のチャネル情報と前記第２のチャネル情報を提供するようにさらに構成されている請求項７記載のワイヤレス通信デバイス。
【請求項１１】
前記ワイヤレス通信デバイスは、前記セクタのクラスターのうちの第１の送信セクタ中に位置し、前記別のワイヤレス通信デバイスは、前記セクタのクラスター中の別の送信セクタ中に位置する請求項７記載のワイヤレス通信デバイス。
【請求項１２】
前記割り当てられた送信セクタからの１つ以上のリソースブロックの割り振りは、前記ワイヤレス通信デバイスによる、調整されたマルチポイント送信をサポートするように構成されている請求項７記載のワイヤレス通信デバイス。
【請求項１３】
ワイヤレス通信デバイス中のコンピュータ読取可能記憶媒体において、
セクタのクラスターを構成する複数の送信セクタから受信した複数の信号のそれぞれの受信信号強度を決定するためのプログラムコードと、
最も高い受信信号強度を有する信号と、前記最も高い受信信号強度と比較した特定レベルを上回る受信信号強度を有する信号とを含む第１の信号に対する第１のチャネル情報を提供するためのプログラムコードと、
前記特定レベルを下回る受信信号強度を有する信号を含む第２の信号に対する第２のチャネル情報を提供するためのプログラムコードと、
前記第１のチャネル情報のランキングに基づいて、割り当てられた送信セクタからの１つ以上のリソースブロックの割り振りを受信するためのプログラムコードとを含み、
前記第２のチャネル情報に基づいて、別の送信セクタからの１つ以上のさらなるリソースブロックが、別のワイヤレス通信デバイスに再割り振りされるコンピュータ読取可能記憶媒体。
【請求項１４】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項１３記載のコンピュータ読取可能記憶媒体。
【請求項１５】
前記チャネル状態情報は、チャネル品質インジケータを含む請求項１４記載のコンピュータ読取可能記憶媒体。
【請求項１６】
前記割り当てられた送信セクタからの１つ以上のリソースブロックの割り振りは、前記ワイヤレス通信デバイスによる、調整されたマルチポイント送信をサポートするように構成されている請求項１３記載のコンピュータ読取可能記憶媒体。
【請求項１７】
ワイヤレス通信デバイスにおいて、
セクタのクラスターを構成する複数の送信セクタから受信した複数の信号のそれぞれの受信信号強度を決定する手段と、
最も高い受信信号強度を有する信号と、前記最も高い受信信号強度と比較した特定レベルを上回る受信信号強度を有する信号とを含む第１の信号に対する第１のチャネル情報を提供する手段と、
前記特定レベルを下回る受信信号強度を有する信号を含む第２の信号に対する第２のチャネル情報を提供する手段と、
前記第１のチャネル情報のランキングに基づいて、割り当てられた送信セクタからの１つ以上のリソースブロックの割り振りを受信する手段とを具備し、
前記第２のチャネル情報に基づいて、別の送信セクタからの１つ以上のさらなるリソースブロックが、別のワイヤレス通信デバイスに再割り振りされるワイヤレス通信デバイス。
【請求項１８】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項１７記載のワイヤレス通信デバイス。
【請求項１９】
前記チャネル状態情報は、チャネル品質インジケータを含む請求項１８記載のワイヤレス通信デバイス。
【請求項２０】
前記割り当てられた送信セクタからの１つ以上のリソースブロックの割り振りは、前記ワイヤレス通信デバイスによる、調整されたマルチポイント送信をサポートするように構成されている請求項１７記載のワイヤレス通信デバイス。
【請求項２１】
ワイヤレスネットワークにおける方法において、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントを通して、前記セクタのクラスターのうちの第１のセクタ中にある前記第１のワイヤレス通信デバイスから受信することと、
前記特定レベルを下回る受信信号強度を有する信号を含む、前記第１のワイヤレス通信デバイスにより受信した第２の信号に対する第２のチャネル情報を、前記セクタのクラスター中の前記第１の送信ポイントを通して、前記第１のワイヤレス通信デバイスから受信することと、
前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振ることと、
前記第２のチャネル情報に基づいて、前記セクタのクラスター中の第２の送信ポイントからのリソースブロックを、前記セクタのクラスターのうちの第２のセクタ中の第２のワイヤレス通信デバイスに再割り振りすることとを含む方法。
【請求項２２】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項２１記載の方法。
【請求項２３】
前記チャネル状態情報は、チャネル品質インジケータを含む請求項２２記載の方法。
【請求項２４】
前記送信ポイントを前記第１のワイヤレス通信デバイスに割り当てることは、前記第１のワイヤレス通信デバイスによる、調整されたマルチポイント送信をサポートするように構成されている請求項２１記載の方法。
【請求項２５】
ワイヤレスネットワークデバイスにおいて、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントを通して、前記セクタのクラスターのうちの第１のセクタ中にある前記第１のワイヤレス通信デバイスから受信するように構成され、
前記特定レベルを下回る受信信号強度を有する信号を含む、前記第１のワイヤレス通信デバイスにより受信した第２の信号に対する第２のチャネル情報を、前記セクタのクラスター中の前記第１の送信ポイントを通して、前記第１のワイヤレス通信デバイスから受信するように構成され、
前記第１のワイヤレス通信デバイスから受信した前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振るように構成され、
前記第１のワイヤレス通信デバイスから受信した前記第２のチャネル情報に基づいて、前記セクタのクラスター中の第２の送信ポイントからのリソースブロックを、前記セクタのクラスターのうちの第２のセクタ中の第２のワイヤレス通信デバイスに再割り振りするように構成されている少なくとも１つのプロセッサを具備するワイヤレスネットワークデバイス。
【請求項２６】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項２５記載のワイヤレスネットワークデバイス。
【請求項２７】
前記チャネル状態情報は、チャネル品質インジケータを含む請求項２６記載のワイヤレスネットワークデバイス。
【請求項２８】
前記送信ポイントを前記第１のワイヤレス通信デバイスに割り当てることは、前記第１のワイヤレス通信デバイスによる、調整されたマルチポイント送信をサポートするように構成されている請求項２５記載のワイヤレスネットワークデバイス。
【請求項２９】
ワイヤレスネットワークデバイス中のコンピュータ読取可能記憶媒体において、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントを通して、前記セクタのクラスターのうちの第１のセクタ中にある前記第１のワイヤレス通信デバイスから受信するためのプログラムコードと、
前記特定レベルを下回る受信信号強度を有する信号を含む、前記第１のワイヤレス通信デバイスにより受信した第２の信号に対する第２のチャネル情報を、前記セクタのクラスター中の前記第１の送信ポイントを通して、前記第１のワイヤレス通信デバイスから受信するためのプログラムコードと、
前記第１のワイヤレス通信デバイスから受信した前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振るためのプログラムコードと、
前記第１のワイヤレス通信デバイスから受信した前記第２のチャネル情報に基づいて、前記セクタのクラスター中の第２の送信ポイントからのリソースブロックを、前記セクタのクラスターのうちの第２のセクタ中の第２のワイヤレス通信デバイスに再割り振りするためのプログラムコードとを含むコンピュータ読取可能記憶媒体。
【請求項３０】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項２９記載のコンピュータ読取可能記憶媒体。
【請求項３１】
前記チャネル状態情報は、チャネル品質インジケータを含む請求項３０記載のコンピュータ読取可能記憶媒体。
【請求項３２】
前記送信ポイントを前記第１のワイヤレス通信デバイスに割り当てることは、前記第１のワイヤレス通信デバイスによる、調整されたマルチポイント送信をサポートするように構成されている請求項２９記載のコンピュータ読取可能記憶媒体。
【請求項３３】
ワイヤレスネットワークデバイスにおいて、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントを通して、前記セクタのクラスターのうちの第１のセクタ中にある前記第１のワイヤレス通信デバイスから受信する手段と、
前記特定レベルを下回る受信信号強度を有する信号を含む、前記第１のワイヤレス通信デバイスにより受信した第２の信号に対する第２のチャネル情報を、前記セクタのクラスター中の前記第１の送信ポイントを通して、前記第１のワイヤレス通信デバイスから受信する手段と、
前記第１のワイヤレス通信デバイスから受信した前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振る手段と、
前記第１のワイヤレス通信デバイスから受信した前記第２のチャネル情報に基づいて、前記セクタのクラスター中の第２の送信ポイントからのリソースブロックを、前記セクタのクラスターのうちの第２のセクタ中の第２のワイヤレス通信デバイスに再割り振りする手段とを具備するワイヤレスネットワークデバイス。
【請求項３４】
前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む請求項３３記載のワイヤレスネットワークデバイス。
【請求項３５】
前記チャネル状態情報は、チャネル品質インジケータを含む請求項３４記載のワイヤレスネットワークデバイス。
【請求項３６】
前記送信ポイントを前記第１のワイヤレス通信デバイスに割り当てることは、前記第１のワイヤレス通信デバイスによる、調整されたマルチポイント送信をサポートするように構成されている請求項３３記載のワイヤレスネットワークデバイス。
【発明の詳細な説明】
【米国特許法第１１９条の下での優先権の主張】
【０００１】
本出願は、“調整されたマルチポイント送信のための、クラスター内でのリソースブロック再使用”と題し、２００９年６月１７日に出願された、米国仮特許出願シリアル番号第６１／１８７，８０４号に対する優先権を主張し、そのすべては、参照によりここに組み込まれている。
【発明の分野】
【０００２】
本発明は、一般的に、ワイヤレス通信の分野に関し、さらに詳細には、ワイヤレス通信ネットワーク中でのリソース割り振りを向上させるためのデバイスおよび方法に関する。
【背景】
【０００３】
本セクションは、開示する実施形態に対する背景または状況を提供するように意図されている。ここでの説明は、追求することができる概念を含んでいることがあるが、必ずしも、以前に考えられたもの、または、以前に追求されたものではない。それゆえ、そうではないとここで示されていない限り、本セクション中で説明することは、本出願中の説明および特許請求の範囲に対する先行技術ではなく、本セクション中に含まれていることにより、先行技術であると認められない。
【０００４】
従来のワイヤレスネットワークは、マルチセクタセルを担当し、中央ベースバンド処理ユニットに接続されている、複数の地理的に分散されたアンテナ（アクセスポイント）で構成されており、それにより、移動体デバイス（ユーザ機器、すなわちＵＥ）との通信リンクを、単一のアクセスポイントにより担当されているセクタ間で移すことができ、異なるアクセスポイントにより担当されている隣り合うセクタ間でハンドオフすることができる。ネットワークトポロジーおよび制御のこのコンフィギュレーションは、信号品質を向上させるための、および、データレートを増加させるための、調整されたマルチポイント送信（ＣｏＭＰ）の使用に適している。複数の地理的に分散されたアクセスポイントからの送信の調整を使用して、ＵＥにおける信号対ノイズ比を増加させることができる。
【０００５】
例えば、セル端データスループットおよび平均スペクトル効率を向上させるために、第三世代パートナーシッププロジェクト（３ＧＰＰ）技術要件ＴＲ３６．８１４、“Ｅ−ＵＴＲＡ物理レイヤアスペクトに対するさらなるアドバンスメント（リリース９）”によるＬＴＥ−アドバンストワイヤレス通信システムに対して、調整されたマルチポイント送信が考えられる。ＣｏＭＰの１つの提案されているタイプは、隣接セクタのクラスターを担当する複数のアクセスポイントが、同じ物理リソースブロック（ＰＲＢ）を使用して、ＣｏＭＰ可能な単一のＵＥにデータを送信するジョイント処理／送信（ＪＰ／Ｔ）である。ここでは、ＬＴＥ−アドバンストに対して、異なる到着時間を有する信号を合成するためのＲＡＫＥ受信機技術を使用して、指定された時間スロット中の特定の組のＯＦＤＭ（直交周波数分割多重化）副搬送波として、ＰＲＢを規定する。複数のアクセスポイントからの同じ物理リソースブロックのＵＥに対する割り振りは、ＣｏＭＰ−ＪＰ／Ｔにより担当されているＵＥにおける信号品質の向上に役立つが、割り振られたＰＲＢは、セクタのクラスター中の他のＵＥを担当するように利用可能ではない。その理由は、他のアクセスポイントにより担当されているクラスターのセクタ中のＵＥにＰＲＢを再割り振りするためのメカニズムがないからである。
【概要】
【０００６】
開示する実施形態は、ワイヤレス通信ネットワークにおけるリソース割り振りの効率を向上させる方法、装置、および、コンピュータプログラムプロダクトに関する。
【０００７】
１つの実施形態では、ワイヤレス通信デバイスにおける方法は、セクタのクラスターを構成する複数の送信セクタから受信した複数の信号のそれぞれの受信信号強度を決定することと、最も高い受信信号強度を有する信号と、最も高い受信信号強度と比較した特定レベルを上回る受信信号強度を有する信号とを含む第１の信号に対する第１のチャネル情報を提供することと、特定レベルを下回る受信信号強度を有する信号を含む第２の信号に対する第２のチャネル情報を提供することと、第１のチャネル情報のランキングに基づいて、割り当てられた送信セクタからの１つ以上のリソースブロックの割り振りを受信し、それにより、第２のチャネル情報に基づいて、別の送信セクタからの１つ以上のリソースブロックが、別のワイヤレス通信デバイスに再割り振りされることとを含む。
【０００８】
提供されている他の実施形態は、説明する方法を実行するように構成されているワイヤレス通信デバイスとコンピュータプログラムプロダクトとを含んでいる。
【０００９】
別の実施形態では、ワイヤレスネットワークにおける方法は、セクタのクラスターのうちの第１のセクタ中にある第１のワイヤレス通信デバイスにおいて、セクタのクラスター中の複数の送信ポイントから受信した複数の信号のそれぞれの受信信号強度を決定することと、最も高い受信信号強度を有する信号と、最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントにおいて、第１のワイヤレス通信デバイスから受信することと、特定レベルを下回る受信信号強度を有する信号を含む、第１のワイヤレス通信デバイスにより受信した第２の信号に対する第２のチャネル情報を、第１の送信ポイントにおいて、第１のワイヤレス通信デバイスから受信することと、第１のチャネル情報に基づいて、第１の送信ポイントを含む送信ポイントを第１のワイヤレス通信デバイスに割り当て、送信ポイントからのリソースブロックを第１のワイヤレス通信デバイスに割り振ることと、第２のチャネル情報に基づいて、セクタのクラスター中の第２の送信ポイントからのリソースブロックを、セクタのクラスターのうちの第２のセクタ中の第２のワイヤレス通信デバイスに再割り振りすることとを含む。
【００１０】
提供されている他の実施形態は、説明する方法を実行するように構成されているワイヤレスネットワークデバイスとコンピュータプログラムプロダクトとを含んでいる。
【図面の簡単な説明】
【００１１】
提供されている実施形態は、これらに限定されないが、次のような添付図の図面中で、例示によって示されている：
【図１】図１は、ワイヤレス通信システムを示している。
【図２】図２は、通信システムのブロックダイヤグラムを示している。
【図３】図３は、１つの実施形態における、リソースブロック再使用を例示したセクタのクラスターを示している。
【図４】図４は、１つの実施形態における、リソースブロック再使用を示すブロックダイヤグラムである。
【図５】図５は、１つの実施形態における、リソースブロック再使用の方法を示すフローチャートである。
【図６】図６は、別の実施形態における、リソースブロック再使用の方法を示すフローチャートである。
【図７】図７は、さまざまな実施形態をその内で実現してもよい装置を示している。
【詳細な説明】
【００１２】
以下の説明では、限定ではなく説明の目的で、開示するさまざまな実施形態の完全な理解を提供するために、詳細および説明が述べられている。しかしながら、これらの詳細および説明から逸脱する他の実施形態において、さまざまな実施形態を実施してもよいことは、当業者にとって明らかだろう。
【００１３】
ここで使用するような、用語“コンポーネント”、“モジュール”、“システム”、および、これらに類するものは、ハードウェアや、ファームウェアや、ハードウェアとソフトウェアの組み合わせや、ソフトウェアや、または、実行中のソフトウェアのいずれかである、コンピュータ関連エンティティのことを指すことを意図している。例えば、コンポーネントは、これらに限定されないが、プロセッサ上で動作しているプロセス、プロセッサ、オブジェクト、実行ファイル、実行のスレッド、プログラム、および／または、コンピュータであってもよい。例として、コンピューティングデバイス上で動作しているアプリケーションとコンピューティングデバイスの双方をコンポーネントとすることができる。１つ以上のコンポーネントが、プロセスおよび／または実行のスレッド内に存在することがあり、コンポーネントは、１つのコンピュータ上に局所化されていてもよく、および／または、２つ以上のコンピュータ間に分散されていてもよい。加えて、それらの上にさまざまなデータ構造を記憶させているさまざまなコンピュータ読取可能媒体から、これらのコンポーネントは実行することができる。コンポーネントは、１つ以上のデータパケット（例えば、ローカルシステム中の、分散システム中の別のコンポーネントと対話する、および／または、インターネットのようなネットワークを通して、信号によって他のシステムと対話する、１つのコンポーネントからのデータ）を有する信号にしたがうような、ローカルおよび／または遠隔のプロセスによって通信してもよい。
【００１４】
さらに、ユーザ機器に関連して、ここで、ある実施形態を説明する。ユーザ機器は、ユーザ端末と呼ぶこともでき、システム、加入者ユニット、加入者局、移動局、移動体、ワイヤレス端末、移動体デバイス、ノード、デバイス、遠隔局、遠隔端末、端末、ワイヤレス通信デバイス、ワイヤレス通信装置、または、ユーザエージェントの機能性のうちのいくつかあるいはすべてを含んでいてもよい。ユーザ機器は、セルラ電話機、コードレス電話機、セッション開始プロトコル（ＳＩＰ）電話機、スマートフォン、ワイヤレスローカルループ（ＷＬＬ）局、パーソナルデジタルアシスタント（ＰＤＡ）、ラップトップ、ハンドヘルド通信デバイス、ハンドヘルドコンピューティングデバイス、衛星ラジオ、ワイヤレスモデムカード、および／または、ワイヤレスシステムを通して通信するための別の処理デバイスとすることができる。さらに、基地局に関連して、ここで、さまざまな態様を説明する。ワイヤレス端末と通信するために基地局を利用してもよく、基地局は、アクセスポイント、ノード、ノードＢ、エボルブドノードＢ（ｅＮＢ）、送信ポイント、または、他の何らかのネットワークエンティティと呼ぶこともでき、アクセスポイント、ノード、ノードＢ、エボルブドノードＢ（ｅＮＢ）、送信ポイント、または、他の何らかのネットワークエンティティの機能性のうちのいくつかあるいはすべてを含んでいてもよい。基地局は、エアインターフェースを通してワイヤレス端末と通信する。１つ以上のセクタを通して通信を行ってもよい。基地局は、受信したエアインターフェースフレームをＩＰパケットにコンバートすることにより、ワイヤレス端末と、インターネットプロトコル（ＩＰ）ネットワークを含むことがあるアクセスネットワークのその他のものとの間のルータとして動作することができる。基地局はまた、エアインターフェースに対する属性の管理を調整することもでき、ワイヤードネットワークとワイヤレスネットワークとの間のゲートウェイであってもよい。
【００１５】
多数のデバイス、コンポーネント、モジュール、および、これらに類するものを含んでいてもよいシステムの観点から、さまざまな態様、実施形態、または、特徴を提示するだろう。さまざまなシステムが、付加的なデバイス、コンポーネント、モジュール等を含んでいてもよく、および／または、図面に関連して論じる、デバイス、コンポーネント、モジュール等のすべてを含んでいなくてもよいことを理解し、正しく認識すべきである。これらのアプローチの組み合わせもまた使用してもよい。
【００１６】
付加的に、主題的な説明において、例として、事例として、あるいは例示として機能することを意味するように、“例示的な”という単語を使用する。“例示的な”ものとして、ここで説明したいずれの実施形態または設計は、他の実施形態または設計と比較して、必ずしも好ましいものとして、または、利益のあるものとして、解釈すべきではない。むしろ、例示的なという単語の使用は、概念を具体的な方法で提示することに向けられている。
【００１７】
開示するさまざまな実施形態を、通信システム中に組み込んでもよい。１つの例では、このような通信システムは、システム帯域幅全体を複数（ＮF）の副搬送波へと効果的に区分する直交周波数分割多重化（ＯＦＤＭ）を利用し、副搬送波は、周波数サブチャネル、トーン、または、周波数ビンとして呼ぶこともある。ＯＦＤＭシステムに対しては、送信すべきデータ（すなわち、情報ビット）は、特定のコーディングスキームで最初にエンコードされて、コード化されたビットを発生させ、コード化されたビットはさらに、マルチビットシンボル中にグループ化され、マルチビットシンボルは、その後、変調シンボルにマッピングされる。各変調シンボルは、データ送信に対して使用される特定の変調スキーム（例えば、Ｍ−ＰＳＫまたはＭ−ＱＡＭ）により規定されている信号配列中のポイントに対応している。各周波数副搬送波の帯域幅に依存することがある各時間間隔において、ＮFの周波数副搬送波のそれぞれ上で、変調シンボルを送信してもよい。したがって、ＯＦＤＭを使用して、システム帯域幅にわたって異なる量の減衰により特徴付けられる周波数選択フェーディングにより生じるシンボル間干渉（ＩＳＩ）を抑制してもよい。
【００１８】
一般的に、ワイヤレス多元接続通信システムは、複数のワイヤレス端末に対する通信を同時にサポートすることができる。各端末は、フォワードリンク上およびリバースリンク上の送信を通して、１つ以上の基地局と通信する。フォワードリンク（または、ダウンリンク）は、基地局から端末への通信リンクのことを指し、リバースリンク（または、アップリンク）は、端末から基地局への通信リンクのことを指す。この通信リンクは、単一入力単一出力、複数入力単一出力、または、複数入力複数出力（ＭＩＭＯ）のシステムを通して確立することができる。
【００１９】
ＭＩＭＯシステムは、データ送信のために、複数（ＮT本）の送信アンテナと複数（ＮR本）の受信アンテナとを用いる。ＮT本の送信アンテナとＮR本の受信アンテナとにより形成されるＭＩＭＯチャネルは、ＮS個の独立したチャネルに分解することができ、これは、空間チャネルとしても呼ばれ、ここで、ＮS≦ｍｉｎ｛ＮT，ＮR｝である。ＮS個の独立したチャネルのそれぞれは、次元に対応する。ＭＩＭＯシステムは、複数の送信アンテナおよび受信アンテナにより生成される付加的な次元を利用する場合に、向上した性能（例えば、より高いスループットおよび／またはより大きな信頼性）を提供することができる。ＭＩＭＯシステムはまた、時分割デュプレックス（ＴＤＤ）システムと周波数分割デュプレックス（ＦＤＤ）システムをサポートする。ＴＤＤシステムでは、相互関係原理により、リバースリンクチャネルからフォワードリンクチャネルの推定が可能になるように、フォワードリンク送信とリバースリンク送信は、同じ周波数領域上にある。これにより、基地局において複数のアンテナが利用可能であるときに、基地局が、フォワードリンク上で、送信ビームフォーミング利得を抽出することが可能になる。
【００２０】
図１は、開示するさまざまな実施形態をその内で実現してもよいワイヤレス通信システムを示している。基地局１００は、複数のアンテナグループを含んでいてもよく、各アンテナグループは、１つ以上のアンテナを含んでいてもよい。例えば、基地局１００が６本のアンテナを含む場合に、１つのアンテナグループは、第１のアンテナ１０４および第２のアンテナ１０６を含んでもよく、別のグループは、第３のアンテナ１０８および第４のアンテナ１１０を含んでもよい一方で、第３のグループは、第５のアンテナ１１２および第６のアンテナ１１４を含んでもよい。上記で述べたアンテナグループのそれぞれは、２つのアンテナを有するものとして識別したが、各アンテナグループ中でより多いまたはより少ないアンテナを利用してもよいことに留意すべきである。
【００２１】
図１の参照に戻ると、例えば、第１のフォワードリンク１２０を通して第１のユーザ機器１１６に情報を送信することと、第１のリバースリンク１１８を通して第１のユーザ機器１１６から情報を受信することとを可能にする第５のアンテナ１１２および第６のアンテナ１１４と通信している第１のユーザ機器１１６が示されている。図１はまた、例えば、第２のフォワードリンク１２６を通して第２のユーザ機器１２２に情報を送信することと、第２のリバースリンク１２４を通して第２のユーザ機器１２２から情報を受信することとを可能にする第３のアンテナ１０８および第４のアンテナ１１０と通信している第２のユーザ機器１２２を示している。周波数分割デュプレックス（ＦＤＤ）システムにおいて、図１中で示されている通信リンク１１８、１２０、１２４、および１２６は、通信のために異なる周波数を使用してもよい。例えば、第１のフォワードリンク１２０は、第１のリバースリンク１１８により使用されるものとは異なる周波数を使用してもよい。
【００２２】
いくつかの実施形態では、各アンテナのグループをおよび／または各アンテナのグループが通信するように設計されているエリアを、基地局のセクタまたは送信セクタとして呼ぶことが多い。例えば、図１中で表されている異なるアンテナグループは、基地局１００のセクタ中のユーザ機器に通信するように設計されていてもよい。フォワードリンク１２０およびフォワードリンク１２６を通しての通信では、基地局１００の送信アンテナは、異なるユーザ機器１１６およびユーザ機器１２２に対するフォワードリンクの信号対ノイズ比を向上させるために、ビームフォーミングを利用する。また、ビームフォーミングを使用して、そのカバレッジエリア中にランダムに散らばっているユーザ機器に送信する基地局は、単一のアンテナを通してそのすべてのユーザ機器に全方向的に送信する基地局よりも、隣接するセル中のユーザ端末に対してより少ない干渉を生じさせる。
【００２３】
開示するさまざまな実施形態のうちのいくつかに適応することがある通信ネットワークは、制御チャネルとトラフィックチャネルとに分類される論理チャネルを含んでいてもよい。論理制御チャネルは、システム制御情報をブロードキャストするためのダウンリンクチャネルであるブロードキャスト制御チャネル（ＢＣＣＨ）と、ページング情報を転送するダウンリンクチャネルであるページング制御チャネル（ＰＣＣＨ）と、１つまたはいくつかのマルチキャストトラフィックチャネル（ＭＴＣＨ）に対する、マルチメディアブロードキャストおよびマルチキャストサービス（ＭＢＭＳ）スケジューリングおよび制御情報を送信するために使用されるポイント・ツー・マルチポイントダウンリンクチャネルであるマルチキャスト制御チャネル（ＭＣＣＨ）とを含んでいてもよい。一般的に、無線リソース制御（ＲＲＣ）接続を確立した後、ＭＢＭＳを受信するユーザ機器によってのみ、ＭＣＣＨが使用される。専用制御チャネル（ＤＣＣＨ）は、ＲＲＣ接続を有するユーザ機器により使用されるユーザ特有の制御情報のような、専用制御情報を送信するポイント・ツー・ポイントの双方向チャネルである別の論理制御チャネルである。共通制御チャネル（ＣＣＣＨ）もまた、ランダムアクセス情報に対して使用されることがある論理制御チャネルである。論理トラフィックチャネルは、ユーザ情報の転送のために、１つのユーザ機器に専用である、ポイント・ツー・ポイントの双方向チャネルである専用トラフィックチャネル（ＤＴＣＨ）を含んでいてもよい。また、トラフィックデータのポイント・ツー・マルチポイントダウンリンク送信のために、マルチキャストトラフィックチャネル（ＭＴＣＨ）を使用してもよい。
【００２４】
さまざまな実施形態のうちのいくつかに適応する通信ネットワークは、ダウンリンク（ＤＬ）とアップリンク（ＵＬ）とに分類される論理トランスポートチャネルを付加的に含んでいてもよい。ＤＬトランスポートチャネルは、ブロードキャストチャネル（ＢＣＨ）と、ダウンリンク共有データチャネル（ＤＬ−ＳＤＣＨ）と、マルチキャストチャネル（ＭＣＨ）と、ページングチャネル（ＰＣＨ）とを含んでいてもよい。ＵＬトランスポートチャネルは、ランダムアクセスチャネル（ＲＡＣＨ）と、要求チャネル（ＲＥＱＣＨ）と、アップリンク共有データチャネル（ＵＬ−ＳＤＣＨ）と、複数の物理チャネルとを含んでいてもよい。物理チャネルはまた、１組のダウンリンクチャネルおよびアップリンクチャネルを含んでいてもよい。
【００２５】
開示するいくつかの実施形態では、ダウンリンク物理チャネルは、共通パイロットチャネル（ＣＰＩＣＨ）、同期化チャネル（ＳＣＨ）、共通制御チャネル（ＣＣＣＨ）、共有ダウンリンク制御チャネル（ＳＤＣＣＨ）、マルチキャスト制御チャネル（ＭＣＣＨ）、共有アップリンク割り当てチャネル（ＳＵＡＣＨ）、肯定応答チャネル（ＡＣＫＣＨ）、ダウンリンク物理共有データチャネル（ＤＬ−ＰＳＤＣＨ）、アップリンク電力制御チャネル（ＵＰＣＣＨ）、ページングインジケータチャネル（ＰＩＣＨ）、負荷インジケータチャネル（ＬＩＣＨ）、物理ブロードキャストチャネル（ＰＢＣＨ）、物理制御フォーマットインジケータチャネル（ＰＣＦＩＣＨ）、物理ダウンリンク制御チャネル（ＰＤＣＣＨ）、物理ハイブリッドＡＲＱインジケータチャネル（ＰＨＩＣＨ）、物理ダウンリンク共有チャネル（ＰＤＳＣＨ）、および、物理マルチキャストチャネル（ＰＭＣＨ）のうちの少なくとも１つを含んでいてもよい。アップリンク物理チャネルは、物理ランダムアクセスチャネル（ＰＲＡＣＨ）、チャネル品質インジケータチャネル（ＣＱＩＣＨ）、肯定応答チャネル（ＡＣＫＣＨ）、アンテナサブセットインジケータチャネル（ＡＳＩＣＨ）、共有要求チャネル（ＳＲＥＱＣＨ）、アップリンク物理共有データチャネル（ＵＬ−ＰＳＤＣＨ）、ブロードバンドパイロットチャネル（ＢＰＩＣＨ）、物理アップリンク制御チャネル（ＰＵＣＣＨ）、および、物理アップリンク共有チャネル（ＰＵＳＣＨ）のうちの少なくとも１つを含んでいてもよい。
【００２６】
さらに、開示するさまざまな実施形態を説明する際に、以下の専門用語および特徴を使用してもよい：
３Ｇ                第３世代
３ＧＰＰ            第３世代パートナーシッププロジェクト
ＡＣＬＲ            隣接チャネル漏洩電力比
ＡＣＰＲ            隣接チャネル電力比
ＡＣＳ              隣接チャネル選択度
ＡＤＳ              アドバンスト設計システム
ＡＭＣ              適応変調およびコーディング
Ａ−ＭＰＲ          付加的な最大電力低減
ＡＲＱ              自動反復要求
ＢＣＣＨ            ブロードキャスト制御チャネル
ＢＴＳ              基地トランシーバ局
ＣＤＤ              巡回遅延ダイバーシティ
ＣＣＤＦ            相補累積分布関数
ＣＤＭＡ            コード分割多元接続
ＣＦＩ              制御フォーマットインジケータ
Ｃｏ−ＭＩＭＯ      協調ＭＩＭＯ
ＣＰ                サイクリックプリフィックス
ＣＰＩＣＨ          共通パイロットチャネル
ＣＰＲＩ            共通公衆無線インターフェース
ＣＱＩ              チャネル品質インジケータ
ＣＲＣ              巡回冗長検査
ＤＣＩ              ダウンリンク制御インジケータ
ＤＦＴ              離散フーリエ変換
ＤＦＴ−ＳＯＦＤＭ  離散フーリエ変換拡散ＯＦＤＭ
ＤＬ                ダウンリンク（基地局から加入者への送信）
ＤＬ−ＳＣＨ        ダウンリンク共有チャネル
ＤＳＰ              デジタル信号処理
ＤＴ                開発ツールセット
ＤＶＳＡ            デジタルベクトル信号解析
ＥＤＡ              電子設計自動化
Ｅ−ＤＣＨ          拡張専用チャネル
Ｅ−ＵＴＲＡＮ      エボルブドＵＭＴＳ地上無線アクセスネットワーク
ｅＭＢＭＳ          エボルブドマルチメディアブロードキャストマルチキャストサービス
ｅＮＢ              エボルブドノードＢ
ＥＰＣ              エボルブドパケットコア
ＥＰＲＥ            リソースエレメント当たりのエネルギー
ＥＴＳＩ            欧州電気通信標準化機構
Ｅ−ＵＴＲＡ        エボルブドＵＴＲＡ
Ｅ−ＵＴＲＡＮ      エボルブドＵＴＲＡＮ
ＥＶＭ              エラーベクトルの大きさ
ＦＤＤ              周波数分割デュプレックス
ＦＦＴ              高速フーリエ変換
ＦＲＣ              固定基準チャネル
ＦＳ１              フレーム構造タイプ１
ＦＳ２              フレーム構造タイプ２
ＧＳＭ（登録商標）  グローバルシステムフォーモバイルコミュニケーション
ＨＡＲＱ            ハイブリッド自動反復要求
ＨＤＬ              ハードウェア記述言語
ＨＩ                ＨＡＲＱインジケータ
ＨＳＤＰＡ          高速ダウンリンクパケットアクセス
ＨＳＰＡ            高速パケットアクセス
ＨＳＵＰＡ          高速アップリンクパケットアクセス
ＩＦＦＴ            逆ＦＦＴ
ＩＯＴ              相互運用性試験
ＩＰ                インターネットプロトコル
ＬＯ                局部発振器
ＬＴＥ              ロングタームエボリューション
ＭＡＣ              媒体アクセス制御
ＭＢＭＳ            マルチメディアブロードキャストマルチキャストサービス
ＭＢＳＦＮ          単一周波数ネットワークを通してのマルチキャスト／ブロードキャスト
ＭＣＨ              マルチキャストチャネル
ＭＩＭＯ            複数入力複数出力
ＭＩＳＯ            複数入力単一出力
ＭＭＥ              移動性管理エンティティ
ＭＯＰ              最大出力電力
ＭＰＲ              最大電力低減
ＭＵ−ＭＩＭＯ      複数ユーザＭＩＭＯ
ＮＡＳ              非アクセス層
ＯＢＳＡＩ          オープン基地局アーキテクチャインターフェース
ＯＦＤＭ            直交周波数分割多重化
ＯＦＤＭＡ          直交周波数分割多元接続
ＰＡＰＲ            ピーク対平均電力比
ＰＡＲ              ピーク対平均値比
ＰＢＣＨ            物理ブロードキャストチャネル
Ｐ−ＣＣＰＣＨ      １次共通制御物理チャネル
ＰＣＦＩＣＨ        物理制御フォーマットインジケータチャネル
ＰＣＨ              ページングチャネル
ＰＤＣＣＨ          物理ダウンリンク制御チャネル
ＰＤＣＰ            パケットデータ収束プロトコル
ＰＤＳＣＨ          物理ダウンリンク共有チャネル
ＰＨＩＣＨ          物理ハイブリッドＡＲＱインジケータチャネル
ＰＨＹ              物理レイヤ
ＰＲＡＣＨ          物理ランダムアクセスチャネル
ＰＭＣＨ            物理マルチキャストチャネル
ＰＭＩ              プリコーディング行列インジケータ
Ｐ−ＳＣＨ          １次同期信号
ＰＵＣＣＨ          物理アップリンク制御チャネル
ＰＵＳＣＨ          物理アップリンク共有チャネル。
【００２７】
図２は、さまざまな実施形態に適応することがある例示的な通信システムのブロックダイヤグラムを示している。図２中で表されているＭＩＭＯ通信システム２００は、ＭＩＭＯ通信システム２００中に、送信機システム２１０（例えば、基地局またはアクセスポイント）と、受信機システム２５０（例えば、アクセス端末またはユーザ機器）とを含んでいる。示されているように、基地局は送信機システム２１０として呼ばれ、ユーザ機器は受信機システム２５０として呼ばれるが；これらのシステムの実施形態は双方向通信が可能であることが、当業者により正しく認識されるだろう。その点で、いずれかのシステムからの単一方向通信を暗示するために、用語“送信機システム２１０”と“受信機システム２５０”を使用すべきではない。図２の送信機システム２１０および受信機システム２５０は、それぞれ、図２中で明示的に表されていない複数の他の受信機システムおよび送信機システムと通信することができることにも留意すべきである。送信機システム２１０において、多数のデータストリームに対するトラフィックデータが、データソース２１２から送信（ＴＸ）データプロセッサ２１４に提供される。各データストリームは、それぞれの送信機システムを通して送信してもよい。ＴＸデータプロセッサ２１４は、そのデータストリームに対して選択された特定のコーディングスキームに基づいて、各データストリームに対するトラフィックデータをフォーマットし、コード化し、および、インターリーブし、コード化されたデータを提供する。
【００２８】
各データストリームに対するコード化されたデータは、例えば、ＯＦＤＭ技術を使用して、パイロットデータと多重化してもよい。パイロットデータは、典型的に、既知の方法で処理される既知のデータパターンであり、チャネル応答を推定するために、受信機システムにおいて使用してもよい。その後、各データストリームに対する多重化されたパイロットおよびコード化データは、そのデータストリームに対して選択された特定の変調スキーム（例えば、ＢＰＳＫ、ＱＳＰＫ、Ｍ−ＰＳＫ、または、Ｍ−ＱＡＭ）に基づいて、変調（シンボルマッピング）し、変調シンボルを提供する。各データストリームに対する、データレート、コーディング、および、変調は、送信機システム２１０のプロセッサ２３０により実行される命令により決定してもよい。
【００２９】
図２の例示的なブロックダイヤグラムでは、すべてのデータストリームに対する変調シンボルは、ＴＸ ＭＩＭＯプロセッサ２２０に提供してもよく、ＴＸ ＭＩＭＯプロセッサ２２０は、（例えば、ＯＦＤＭのために）変調シンボルをさらに処理することができる。ＴＸ ＭＩＭＯプロセッサ２２０は、その後、ＮT個の変調シンボルストリームをＮT台の送信機システムトランシーバ（ＴＭＴＲ）２２２ａないし２２２ｔに提供する。１つの実施形態では、ＴＸ ＭＩＭＯプロセッサ２２０は、さらに、データストリームのシンボルと、そこからシンボルが送信されるアンテナとに対して、ビームフォーミングの重みを適用してもよい。
【００３０】
各送信機システムトランシーバ２２２ａないし２２２ｔは、それぞれのシンボルストリームを受け取って処理し、１つ以上のアナログ信号を提供し、アナログ信号をさらに調整して、ＭＩＭＯチャネルを通しての送信に適した変調された信号を提供する。いくつかの実施形態では、調整することは、これらに限定されないが、増幅、フィルタリング、アップコンバージョン、および、これらに類するもののような動作を含んでいてもよい。送信機システムトランシーバ２２２ａないし２２２ｔにより生成される変調信号は、その後、図２中で示されている送信機システムアンテナ２２４ａないし２２４ｔから送信される。
【００３１】
受信機システム２５０において、受信機システムアンテナ２５２ａないし２５２ｒにより、送信変調信号を受信し、受信機システムアンテナ２５２ａないし２５２ｒのそれぞれから受信した信号は、それぞれの受信機システムトランシーバ（ＲＣＶＲ）２５４ａないし２５４ｒに提供される。各受信機システムトランシーバ２５４ａないし２５４ｒは、それぞれの受信信号を調整し、調整した信号をデジタル化して、サンプルを提供し、サンプルをさらに処理して、対応する“受信した”シンボルストリームを提供する。いくつかの実施形態では、調整することは、これらに限定されないが、増幅、フィルタリング、ダウンコンバージョン、および、これらに類するもののような動作を含んでいてもよい。
【００３２】
ＲＸデータプロセッサ２６０は、その後、受信機システムトランシーバ２５４ａないし２５４ｒからシンボルストリームを受け取って、特定の受信機処理技術に基づいて処理し、複数の“検出した”シンボルストリームを提供する。１つの例では、各検出したシンボルストリームは、対応するデータストリームに対する送信されたシンボルの推定であるシンボルを含むことができる。ＲＸデータプロセッサ２６０は、その後、各検出したシンボルストリームを、少なくとも部分的に、復調し、デインターリーブし、および、デコードし、対応するデータストリームに対するトラフィックデータを復元する。ＲＸデータプロセッサ２６０による処理は、送信機システム２１０における、ＴＸ ＭＩＭＯプロセッサ２２０とＴＸデータプロセッサ２１４とにより実行される処理と相補的であってもよい。ＲＸデータプロセッサ２６０は、付加的に、処理したシンボルストリームをデータシンク２６４に提供することができる。
【００３３】
いくつかの実施形態では、ＲＸデータプロセッサ２６０によりチャネル応答推定を発生させ、チャネル応答推定を使用して、受信機システム２５０における空間／時間処理を実行し、電力レベルを調節し、変調レートまたはスキームを変更し、および／または、他の適切なアクションを行うことができる。付加的に、ＲＸデータプロセッサ２６０は、さらに、検出したシンボルストリームの信号対ノイズ比（ＳＮＲ）および信号対干渉比（ＳＩＲ）のようなチャネル特性を推定することができる。ＲＸデータプロセッサ２６０は、その後、推定したチャネル特性をプロセッサ２７０に提供することができる。１つの例では、受信機システム２５０のＲＸデータプロセッサ２６０および／またはプロセッサ２７０は、さらに、システムに対する“動作”ＳＮＲの推定を導出することができる。受信機システム２５０のプロセッサ２７０はまた、チャネル状態情報（ＣＳＩ）を提供することができ、これは、通信リンクにおよび／または受信したデータストリームに関する情報を含んでいてもよい。例えば、動作ＳＮＲおよび他のチャネル情報を含んでもよいこの情報を送信機システム２１０（例えば、基地局またはｅノードＢ）により使用して、例えば、ユーザ機器スケジューリングに、ＭＩＭＯセッティングに、変調およびコーディング選択に、ならびに、これらに類するものに関する適切な決定を行ってもよい。受信機システム２５０において、プロセッサ２７０により生成されるＣＳＩは、ＴＸデータプロセッサ２３８により処理され、変調器２８０により変調され、受信機システムトランシーバ２５４ａないし２５４ｒにより調整され、送信機システム２１０に返信される。加えて、受信機システム２５０におけるデータソース２３６は、ＴＸデータプロセッサ２３８により処理されることになる付加的なデータを提供することができる。
【００３４】
いくつかの実施形態では、受信機システム２５０におけるプロセッサ２７０はまた、どのプリコーディング行列を使用するかを周期的に決定してもよい。プロセッサ２７０は、行列インデックス部分とランク値部分とを含むリバースリンクメッセージを構築する。リバースリンクメッセージは、通信リンクにおよび／または受信したデータストリームに関するさまざまなタイプの情報を含んでもよい。その後、データソース２３６から多数のデータストリームに対するトラフィックデータも受信することがある、受信機システム２５０におけるＴＸデータプロセッサ２３８により、リバースリンクメッセージを処理する。その後、処理した情報を、変調器２８０により変調し、受信機システムトランシーバ２５４ａないし２５４ｒのうちの１つ以上により調整し、送信機システム２１０に返信する。
【００３５】
ＭＩＭＯ通信システム２００のいくつかの実施形態では、受信機システム２５０は、空間的に多重化された信号を受信して、処理することが可能である。これらのシステムでは、異なるデータストリームを多重化し、送信機システムアンテナ２２４ａないし２２４ｔ上で送信することにより、送信機システム２１０において空間的な多重化が起こる。これは、複数の送信機システムアンテナ２２４ａないし２２４ｒから同じデータストリームを送る送信ダイバーシティスキームの使用とは対照的である。空間的に多重化された信号を受信して処理することが可能なＭＩＭＯ通信システム２００では、典型的に、送信機システム２１０においてプリコード行列を使用して、送信機システムアンテナ２２４ａないし２２４ｒのそれぞれから送信される信号が、確実に、互いに十分に非相関であるようにする。何らかの特定の受信機システムアンテナ２５２ａないし２５２ｒにおいて、この非相関により、到来する複合信号を確実に受信することができ、他の送信機システムアンテナ２２４ａないし２２４ｒからの他のデータストリームを伝える信号が存在する場合に、個別のデータストリームを確実に決定できる。
【００３６】
ストリーム間の相互相関の量は、環境により影響を受けることがあるので、受信機システム２５０が、受信した信号についての情報を送信機システム２１０にフィードバックすることは利益がある。これらのシステムでは、送信機システム２１０と受信機システム２５０の双方は、多数のプリコーディング行列を持つコードブックを含んでいる。いくつかのインスタンスでは、これらのプリコーディング行列のそれぞれを、受信した信号において経験する相互相関の量に関連させることができる。行列中の値ではなく、特定の行列のインデックスを送ることは利益があるので、受信機システム２５０から送信機システム２１０に送られるフィードバック制御信号は、典型的に、特定のプリコーディング行列のインデックスを含んでいる。いくつかのインスタンスでは、フィードバック制御信号はまた、独立したデータストリームを空間多重化においていくつ使用するかを送信機システム２１０に示すランクインデックスを含んでいる。
【００３７】
上記で説明した空間多重化スキームの代わりに、送信ダイバーシティスキームを利用するように、ＭＩＭＯシステム通信２００の他の実施形態は構成されている。これらの実施形態では、送信機システムアンテナ２２４ａないし２２４ｒにわたって、同じデータストリームが送信される。これらの実施形態では、典型的に、受信機システム２５０に配信されるデータレートは、空間多重化されたＭＩＭＯ通信システム２００よりも低い。これらの実施形態は、通信チャネルに堅牢性と信頼性を提供する。送信ダイバーシティシステムでは、送信機システムアンテナ２２４ａないし２２４ｔから送信される信号のそれぞれは、異なる干渉環境（フェーディング、反射、マルチパス位相シフト）を経験するだろう。これらの実施形態では、受信機システムアンテナ２５２ａないし２５４ｒにおいて受信した異なる信号特性は、適切なデータストリームを決定する際に有用である。典型的に、これらの実施形態では、空間多重化を使用しないように送信機システム２１０に知らせる１に、ランクインジケータがセットされる。
【００３８】
他の実施形態は、空間多重化と送信ダイバーシティの組み合わせを利用してもよい。例えば、４本の送信機システムアンテナ２２４ａないし２２４ｔを利用するＭＩＭＯ通信システム２００において、送信機システムアンテナ２２４ａないし２２４ｔのうちの２本の上で、第１のデータストリームを送信し、残りの２本の送信機システムアンテナ２２４ａないし２２４ｔ上で、第２のデータストリームを送信してもよい。これらの実施形態では、空間多重化と送信ダイバーシティの組み合わせを用いるように送信機システム２１０に示す、プリコード行列のフルランクより低い整数に、ランクインデックスがセットされる。
【００３９】
送信機システム２１０において、受信機システム２５０からの変調信号は、送信機システムアンテナ２２４ａないし２２４ｔにより受信され、送信機システムトランシーバ２２２ａないし２２２ｔにより調整され、送信機システム復調器２４０により復調され、受信機システム２５０により送信されたリバースリンクメッセージを抽出するために、ＲＸデータプロセッサ２４２により処理される。いくつかの実施形態では、送信機システム２１０のプロセッサ２３０は、その後、将来のフォワードリンク送信のためにどのプリコーディング行列を使用するかを決定し、そして、抽出したメッセージを処理する。他の実施形態では、プロセッサ２３０は、受信した信号を使用して、将来のフォワードリンク送信に対するビームフォーミングの重みを調節する。
【００４０】
他の実施形態では、報告されたＣＳＩを、送信機システム２１０のプロセッサ２３０に提供することができ、例えば、報告されたＣＳＩを使用して、データレートとともに、１つ以上のデータストリームに対して使用することになるコーディングおよび変調スキームを決定することができる。決定したコーディングおよび変調スキームは、その後、受信機システム２５０への後の送信における量子化および／または使用のために、送信機システム２１０における１つ以上の送信機システムトランシーバ２２２ａないし２２２ｔに提供することができる。付加的におよび／または代替的に、送信機システム２１０のプロセッサ２３０により、報告されたＣＳＩを使用して、ＴＸデータプロセッサ２１４およびＴＸ ＭＩＭＯプロセッサ２２０に対するさまざまな制御を発生させることができる。１つの例では、ＣＳＩおよび／または送信機システム２１０のＲＸデータプロセッサ２４２により処理された他の情報は、データシンク２４４に提供することができる。
【００４１】
いくつかの実施形態では、送信機システム２１０におけるプロセッサ２３０と、受信機システム２５０におけるプロセッサ２７０は、それらのそれぞれのシステムにおける動作を命令してもよい。付加的に、送信機システム２１０におけるメモリ２３２と、受信機システム２５０におけるメモリ２７２とは、送信機システムプロセッサ２３０と受信機システムプロセッサ２７０とにより使用されるプログラムコードおよびデータに対する記憶をそれぞれ行うことができる。さらに、受信機システム２５０において、さまざまな処理技術を使用して、ＮR個の受信信号を処理し、ＮT個の送信シンボルストリームを検出することができる。これらの受信機処理技術は、空間受信機処理技術および空間−時間受信機処理技術を含むことができ、これらは、等化技術、“連続的なヌリング／等化および干渉消去”受信機処理技術、ならびに／あるいは、“連続的な干渉消去”または“連続的な消去”の受信機処理技術を含むことができる。
【００４２】
図３は、１つの実施形態にしたがった、リソースブロック再使用を例示したワイヤレスネットワーク３００の一部分を示している。図３では、（送信ポイントとしても知られる）３つの例示的なアクセスポイントＡＰ１、ＡＰ２、および、ＡＰ３がそれぞれ、３つのプライマリセクタを担当し、ＡＰ１、ＡＰ２、および、ＡＰ３は、ベースバンドプロセッサ３０１により管理されている。ベースバンドプロセッサ３０１は、例えば、図２中で表されているＲＸデータプロセッサ２４２またはプロセッサ２３０のコンポーネント、モジュール、または、サブシステムであってもよい。ベースバンドプロセッサ３０１は、複数のセクタを担当するアクセスポイントＡＰ１、ＡＰ２、および、ＡＰ３と通信している。例えば、アクセスポイントＡＰ１は、セクタ１Ａ、１Ｂ、および、１Ｃを担当し、アクセスポイントＡＰ２は、セクタ２Ａ、２Ｂ、および、２Ｃを担当し；アクセスポイントＡＰ３は、セクタ３Ａ、３Ｂ、および、３Ｃを担当する。特に、セクタ１Ａ、２Ｃ、および、３Ｂは、隣接セクタのクラスターを構成しており、ここで、各セクタは、３つのアクセスポイントのうちの１つにより担当されているプライマリセクタである。他の実施形態では、アクセスポイントはそれぞれ、３つより少ないセクタまたは３つより多いセクタを担当してもよい。クラスターのうちの１つのセクタ中のＵＥ（例えば、ＵＥ１）が、クラスターに関係付けられているアクセスポイントのうちのいずれかから信号を受信するかもしれないことが正しく認識されるだろう。ここで、信号の強度および品質は、優勢なチャネル条件に依存するだろう。以下の議論では、例えば、３ＧＰＰ技術仕様書ＴＳ３６．３３１“Ｅ−ＵＴＲＡ無線リソース制御プロトコル仕様書”にしたがった通常の通話手順を使用して、調整されたマルチポイント送信可能なＵＥが、複数のアクセスポイントとの通信を確立することが可能になると仮定する。
【００４３】
図３において、セクタ１Ａ中のＵＥ１は、ＣｏＭＰ可能なデバイスであってもよい。ＵＥ１は、第１のダウンリンク通信チャネル３０２上で、アクセスポイントＡＰ１から信号を受信し、第２のダウンリンク通信チャネル３０４上で、アクセスポイントＡＰ２から信号を受信し、第３のダウンリンク通信チャネル３０６上で、アクセスポイントＡＰ３から信号を受信してもよい。各受信信号の信号強度（例えば、基準信号受信電力、すなわちＲＳＲＰ）を決定するようにと、受信信号強度に基づいて、受信した信号を２つのグループに分離するように、ＵＥ１を構成してもよい。
【００４４】
第１のグループの信号（第１の信号）は、最も高い受信信号強度（ｍａｘＲＳＲＰ）を持つ信号と、最も高い受信信号強度と比較した特定レベルとして規定されている電力しきい値を上回る受信信号強度を持つ信号とを含んでいる。例えば、特定レベルは、最も高い受信信号強度をＸデシベル下回っているものであってもよく、そのため、ｍａｘＲＳＲＰ−Ｘ ｄｂの電力しきい値より大きい受信信号強度を持つ何らかの信号は、第１の信号のうちの１つであるだろう。典型的に、最も高い受信信号強度を持つ信号は、ＵＥに最も近いアクセスポイント（例えば、図３中のＵＥ１に関してはアクセスポイントＡＰ１）からの信号であるだろうが、ネットワーク中で使用されるチャネル条件および送信電力制御アルゴリズムに依存して、これは必ずしも事実ではないことがある。
【００４５】
第２のグループの信号（第２の信号）は、電力しきい値を下回る（例えば、ｍａｘＲＳＲＰ−Ｘ ｄｂより小さい）受信信号強度を持つ信号を含んでいる。これらの信号は、ＵＥに対する低干渉セクタとして分類されている送信セクタからのものである。
【００４６】
図３において、例えば、ＵＥ１は、ＡＰ１からの信号が最も高い信号強度を有していることと、ＡＰ２からの信号が電力しきい値を上回り、それゆえ、ＡＰ２からの信号が、ＡＰ１からの信号とともに第１のグループ中にあることとを決定してもよい。ＵＥ１はまた、ＡＰ３から受信した信号が電力しきい値を下回っていることと、それゆえ、ＡＰ３から受信した信号が、第２のグループの信号中にあることとを決定してもよい。
【００４７】
ＵＥ１は、ＵＥに最も高い信号強度を提供するアクセスポイントを通してのアップリンクチャネル上で（例えば、ＡＰ１へのアップリンク３０３上で）、ベースバンドプロセッサ３０１に、第１の信号についてのチャネル情報（第１のチャネル情報）を提供する。１つの実施形態では、第１のチャネル情報は、受信した信号のそれぞれに対する、チャネル状態情報（ＣＳＩ）と送信セクタインデックスとを含んでいてもよい。送信セクタインデックスは、ＵＥにより受信した各信号中に含まれており、受信した信号を発信した、アクセスポイントと送信セクタとを識別する。例えば、物理アップリンク制御チャネル（ＰＵＣＣＨ）上で、または、物理アップリンク共有チャネル（ＰＵＳＣＨ）上で、第１のチャネル情報を提供してもよい。１つの実施形態では、ＣＳＩは、各受信ダウンリンク信号に対するチャネル品質インジケータ（ＣＱＩ）を含んでいてもよく、例えば、チャネル品質インジケータチャネル（ＣＱＩＣＨ）上で、これを提供してもよい。チャネル品質インジケータは、さまざまなチャネル条件（例えば、干渉、フェーディングレート、および、マルチパス条件）に対応する１組の予め規定された変調スキームおよびコーディングレートの組み合わせを含む、ベースバンドプロセッサ３０１中のテーブルを指してもよい。ＵＥ１はまた、ＣｏＭＰ通信モードで動作するために、ＵＥ１の能力をベースバンドプロセッサ３０１に通知してもよい。
【００４８】
ＵＥ１は、第２の信号（例えば、ＡＰ３からの信号）のそれぞれに対する送信セクタインデックスを含む、第２の信号についてのチャネル情報（第２のチャネル情報）を、同じアップリンクチャネル（例えば、アップリンクチャネル３０３）上で提供する。
【００４９】
ＵＥ１から受信した第１のチャネル情報と、ＵＥ１のＣｏＭＰ能力とに基づいて、第１の信号をランク付けする（例えば、ＣＱＩに基づいて、送信モードを決定する）ようにと、第１の信号に関係付けられているアクセスポイントをＵＥ１に割り当てるように、ベースバンドプロセッサ３０１を構成してもよい。ＵＥ１は、その後、割り当てとランキングとに基づいて、ＡＰ１およびＡＰ２からの物理リソースブロック（ＰＲＢ）の割り振りを受信してもよい。上記で説明したように、調整されたマルチポイント送信に対する２つのアクセスポイントの使用は例示に過ぎず、他の実施形態において、２つより多いアクセスポイントを用いてもよいことが正しく認識されるだろう。
【００５０】
第２のチャネル情報に基づいて、ベースバンドプロセッサ３０１は、第２の信号に関係付けられている送信ポイント（例えば、ＡＰ３）が、（例えば、ＵＥ１に対する）低干渉セクタであることを決定することができる。その決定に基づいて、ベースバンドプロセッサ３０１は、同じ物理リソースブロック（例えば、ＵＥ１に既に割り振られているＰＲＢ）を低干渉セクタ（例えば、セクタ３Ｂ）中の別のＵＥ（例えば、ＵＥ２）に再割り振りしてもよい。
【００５１】
図４は、１つの実施形態における、ワイヤレスネットワーク４００の動作を示すブロックダイヤグラムである。図４において、ワイヤレスネットワーク４００は、上記で説明したように、少なくともアクセスポイントＡＰ１、ＡＰ２、および、ＡＰ３を含んでおり、ここで、各アクセスポイントは、ＵＥ１のようなＣｏＭＰ可能な移動体デバイスと通信するように、および、ＣｏＭＰ能力のないレガシー移動体デバイスと通信するように構成されている。各アクセスポイントは、ネットワーク４０６を通してベースバンドプロセッサ３０１に結合されている。例えば、ネットワーク４０６は、インターネット、（光ファイバ、マイクロ波またはワイヤードのネットワークのような）プライベートワイドエリアネットワーク、公衆交換テレコミュニケーションネットワーク、あるいは、それらの何らかの組み合わせであってもよい。
【００５２】
図４において示されているように、ＵＥ１は、最も強い信号をＵＥ１に提供するアクセスポイントを介して、ベースバンドプロセッサ３０１に第１のチャネル情報と第２のチャネル情報を報告するチャネル情報報告モジュールを備えていてもよい。
【００５３】
ベースバンドプロセッサ３０１は、アクセスポイントとＵＥとの間でのリソース割り振りを管理するように構成されているジョイントスケジューラモジュール４０１を備えていてもよい。ジョイントスケジューラ４０１は、上記で説明したように、ＵＥ１のようなＣｏＭＰ可能なＵＥから第１のチャネル情報および第２のチャネル情報を受信するように構成されているチャネル情報受信機モジュール４０２を備えていてもよい。
【００５４】
ジョイントスケジューラ４０１はまた、セクタのクラスター内のＵＥからの第１のチャネル情報および第２のチャネル情報を評価するように構成されているチャネル情報評価モジュール４０３を備えていてもよい。
【００５５】
ジョイントスケジューラ４０１はまた、ＵＥが、調整されたマルチポイント送信モードにおいて動作することが可能であるときには、第１のチャネル情報に基づいて、２つ以上のアクセスポイント（例えば、ＡＰ１およびＡＰ２）からの物理リソースブロックを、ＵＥ１のような第１のＵＥに割り振るように構成されているリソースブロック割り振りモジュール４０４を備えていてもよい。
【００５６】
ジョイントスケジューラ４０１はまた、第２のチャネル情報に基づいて、セクタのクラスター中の別のアクセスポイント（例えば、ＡＰ３）からの同じ物理リソースブロックを、（ＵＥ２のような）第２のＵＥに再割り振りするように構成されているリソースブロック再割り振りモジュール４０５を備えていてもよい。
【００５７】
図５は、１つの実施形態にしたがった、ワイヤレス通信デバイス（例えば、ＵＥ１）における方法を示すフローチャート５００である。動作５０２において、ワイヤレス通信デバイスは、セクタのクラスターを構成する複数の送信セクタから受信した複数の信号のそれぞれの受信信号強度を決定する。動作５０４において、ワイヤレス通信デバイスは、第１の信号に対する第１のチャネル情報を提供し、第１の信号は、最も高い受信信号強度を有する信号と、最も高い受信信号強度と比較した特定レベルを上回る受信信号強度を有する信号とを含む。動作５０６において、ワイヤレス通信デバイスは、第２の信号に対する第２のチャネル情報を提供し、第２の信号は、特定レベルを下回る受信信号強度を有する信号を含む。動作５０８において、ワイヤレス通信デバイスは、第１のチャネル情報のランキングに基づいて、割り当てられた送信セクタからの１つ以上のリソースブロックの割り振りを受信する。それにより、第２のチャネル情報に基づいて、別の送信セクタからの１つ以上のリソースブロックが、別のワイヤレス通信デバイスに再割り振りされる。
【００５８】
図６は、１つの実施形態での、ワイヤレス通信ネットワークにおける方法を示すフローチャート６００である。動作６０２において、ワイヤレスネットワークは、最も高い受信信号強度を有する信号と、最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントにおいて、セクタのクラスターのうちの第１のセクタ中の第１のワイヤレス通信デバイスから受信する。動作６０４において、ワイヤレスネットワークは、特定レベルを下回る受信信号強度を有する信号を含む、第１のワイヤレス通信デバイスにより受信した第２の信号に対する第２のチャネル情報を、第１の送信ポイントにおいて、第１のワイヤレス通信デバイスから受信する。動作６０６において、ワイヤレスネットワークは、第１のチャネル情報に基づいて、第１の送信ポイントを含む送信ポイントを第１のワイヤレス通信デバイスに割り当て、送信ポイントからのリソースブロックを第１のワイヤレス通信デバイスに割り振る。動作６０８において、ワイヤレスネットワークは、第２のチャネル情報に基づいて、セクタのクラスター中の第２の送信ポイントからのリソースブロックを、セクタのクラスターのうちの第２のセクタ中の第２のワイヤレス通信デバイスに再割り振りする。
【００５９】
図７は、開示するさまざまな実施形態を実現してもよい装置７００を示している。特に、図７中で示されている装置７００は、（図３中および図４中で表されているアクセスポイントＡＰ１、ＡＰ２、およびＡＰ３のような）アクセスポイントの少なくとも一部分や、（図３中および図４中で表されているユーザ機器ＵＥ１およびＵＥ２のような）ユーザ機器の少なくとも一部分や、（図３中および図４中で表されているベースバンドプロセッサのような）ベースバンドプロセッサの少なくとも一部分や、ならびに／あるいは、（図２中で表されている送信機システム２１０および受信機システム２５０のような）送信機システムまたは受信機システムの少なくとも一部分を含んでいてもよい。図７中で表されている装置７００は、ワイヤレスネットワーク内に存在することができ、例えば、１つ以上の受信機を、ならびに／あるいは、適切な受信およびデコーディング回路（例えば、アンテナ、トランシーバ、復調器、および、これらに類するもの）を介して、到来データを受信することができる。図７中で表されている装置５７はまた、例えば、１つ以上の送信機を、ならびに／あるいは、適切なエンコーディングおよび送信回路（例えば、アンテナ、トランシーバ、変調器、および、これらに類するもの）を介して、送出データを送信することができる。付加的にまたは代替的に、図７中で表されている装置７００は、ワイヤードネットワーク内に存在してもよい。
【００６０】
図７は、さらに、信号、調整、解析、および、これらに類するもののような、１つ以上の動作を実行するための命令を保持することができるメモリ７０２を備えることができる。付加的に、図７の装置７００は、メモリ７０２中に記憶されている命令を、および／または、別のデバイスから受信した命令を、実行することができるプロセッサ７０４を備えていてもよい。命令は、例えば、装置７００または関連する通信装置を、構成するあるいは動作させることに関連することがある。図７中で表されているメモリ７０２は、単一のブロックとして示されているが、メモリ７０２は、別々の物理ユニットおよび／または論理ユニットを構成する２つ以上の別々のメモリを含んでいてもよいことに留意すべきである。加えて、メモリは、プロセッサ７０４に通信可能に接続されている一方で、図７中で表されている装置７００の完全に外側にまたは部分的に外側に存在してもよい。チャネル情報報告モジュール４０７、チャネル情報受信機モジュール４０２、チャネル情報評価モジュール４０３、リソースブロック割り振りモジュール４０４、および、リソースブロック再割り振りモジュール４０５のような、図４中で示されている１つ以上のコンポーネントまたはモジュールは、メモリ７０２のようなメモリ内に存在することができることも理解すべきである。
【００６１】
開示する実施形態に関連して説明するメモリは、揮発性メモリまたは不揮発性メモリのいずれかとすることができ、あるいは、揮発性メモリおよび不揮発性メモリの双方を含むことができることが正しく認識されるだろう。例示として、限定ではないが、不揮発性メモリは、リードオンリーメモリ（ＲＯＭ）、プログラム可能なＲＯＭ（ＰＲＯＭ）、電気的にプログラム可能なＲＯＭ（ＥＰＲＯＭ）、電気的に消去可能なＲＯＭ（ＥＥＰＲＯＭ）、または、フラッシュメモリを含むことができる。揮発性メモリは、外部キャッシュメモリとして動作するランダムアクセスメモリ（ＲＡＭ）を含むことができる。例示として、限定ではないが、ＲＡＭは、同期化ＲＡＭ（ＳＲＡＭ）、ダイナミックＲＡＭ（ＤＲＡＭ）、同期化ＤＲＡＭ（ＳＤＲＡＭ）、ダブルデータレートＳＤＲＡＭ（ＤＤＲ ＳＤＲＡＭ）、高度ＳＤＲＡＭ（ＥＳＤＲＡＭ）、シンクリンクＤＲＡＭ（ＳＬＤＲＡＭ）、および、ダイレクトランバスＲＡＭ（ＤＲＲＡＭ）のような、多くの形態で利用可能である。
【００６２】
ユーザ機器または移動体デバイスにより図７の装置７００を用いることができ、図７の装置７００は、例えば、ＳＤカード、ネットワークカード、ワイヤレスネットワークカード、（ラップトップ、デスクトップ、パーソナルデジタルアシスタントＰＤＡを含む）コンピュータ、移動体電話機、スマートフォン、または、ネットワークにアクセスするために利用することができる他の何らかの適切な端末とすることができることにも留意すべきである。ユーザ機器は、（示していない）アクセスコンポーネントによりネットワークにアクセスする。１つの例では、ユーザ機器とアクセスコンポーネントとの間の接続は、本質的にワイヤレスであってもよく、そこにおいて、アクセスコンポーネントは基地局であってもよく、ユーザ機器はワイヤレス端末である。例えば、端末および基地局は、何らかの適切なワイヤレスプロトコルにより通信してもよく、何らかの適切なワイヤレスプロトコルは、これらに限定されないが、時分割多元接続（ＴＤＭＡ）、コード分割多元接続（ＣＤＭＡ）、周波数分割多元接続（ＦＤＭＡ）、直交周波数分割多重化（ＯＦＤＭ）、フラッシュＯＦＤＭ、直交周波数分割多元接続（ＯＦＤＭＡ）、または、他の何らかの適切なプロトコルを含んでいる。
【００６３】
アクセスコンポーネントは、ワイヤードネットワークまたはワイヤレスネットワークに関係付けられているアクセスノードとすることができる。その目的のために、アクセスコンポーネントは、例えば、ルータ、スイッチ、および、これらに類するものとすることができる。アクセスコンポーネントは、例えば、通信モジュールのような、他のネットワークノードと通信するための１つ以上のインターフェースを含むことができる。付加的に、アクセスコンポーネントは、セルラタイプネットワーク中の基地局（または、ワイヤレスアクセスポイント）とすることができ、ここで、基地局（または、ワイヤレスアクセスポイント）を利用して、複数の加入者に対してワイヤレスカバレッジエリアを提供する。１つ以上のセルラ電話機および／または他のワイヤレス端末に対してカバレッジの隣接エリアを提供するように、このような基地局（または、ワイヤレスアクセスポイント）を配置することができる。
【００６４】
ここで説明する実施形態および特徴を、ハードウェアにより、ソフトウェアにより、ファームウェアにより、または、これらの何らかの組み合わせにより実現してもよいことを理解すべきである。ここで説明するさまざまな実施形態は、方法またはプロセスの一般的な文脈で説明する。これは、コンピュータプログラムプロダクトによる１つの実施形態において実現してもよく、プログラムコードのようなコンピュータ実行可能な命令を含むコンピュータ読取可能媒体において具現化してもよく、ネットワーク環境中でコンピュータにより実行してもよい。上記で述べたように、メモリおよび／またはコンピュータ読取可能媒体は、これらに限定されないが、リードオンリーメモリ（ＲＯＭ）、ランダムアクセスメモリ（ＲＡＭ）、コンパクトディスク（ＣＤ）、デジタル多用途ディスク（ＤＶＤ）、および、これらに類するものを含む、取り外し可能な記憶デバイスまたは取り外し可能でない記憶デバイスを含んでいてもよい。ソフトウェアで実現するときに、機能は、１つ以上の命令またはコードとして、コンピュータ読取可能媒体上に記憶されてもよく、あるいは、１つ以上の命令またはコードとして、コンピュータ読取可能媒体上に送信されてもよい。コンピュータ読取可能媒体は、１つの場所から別の場所へのコンピュータプログラムの転送を促進する何らかの媒体を含むコンピュータ記憶媒体および通信媒体の双方を含む。記憶媒体は、汎用コンピュータまたは特殊目的コンピュータによりアクセスできる何らかの利用可能な媒体であってもよい。例示として、これらに限定されないが、このようなコンピュータ読取可能媒体は、ＲＡＭ、ＲＯＭ、ＥＥＰＲＯＭ、ＣＤ−ＲＯＭまたは他の光ディスク記憶装置、磁気ディスク記憶装置または他の磁気記憶デバイス、あるいは、汎用コンピュータまたは特殊目的コンピュータにより、もしくは、汎用プロセッサまたは特殊目的プロセッサによりアクセスでき、命令またはデータ構造の形態で所望のプログラムコード手段を伝えるまたは記憶するために使用できる他の何らかの媒体を含むことができる。
【００６５】
また、あらゆる接続は、コンピュータ読取可能媒体と適切に呼ばれる。例えば、ソフトウェアが、同軸ケーブルや、光ファイバケーブルや、撚り対や、デジタル加入者線（ＤＳＬ）や、あるいは、赤外線、無線、およびマイクロ波のようなワイヤレス技術を使用して、ウェブサイト、サーバ、または、他の遠隔ソースから送信される場合には、同軸ケーブル、光ファイバケーブル、撚り対、ＤＳＬ、あるいは、赤外線、無線、およびマイクロ波のようなワイヤレス技術は、媒体の定義に含まれる。ここで使用したようなディスク（ｄｉｓｋおよびｄｉｓｃ）は、コンパクトディスク（ＣＤ）、レーザディスク（登録商標）、光ディスク、デジタル多用途ディスク（ＤＶＤ）、フロッピー（登録商標）ディスク、および、ブルーレイ（登録商標）ディスクを含むが、一般的に、ディスク（ｄｉｓｋ）は、データを磁気的に再生する一方で、ディスク（ｄｉｓｃ）は、データをレーザによって光学的に再生する。先のものを組み合わせたものもまた、コンピュータ読取可能媒体の範囲内に含められるべきである。
【００６６】
一般的に、プログラムモジュールは、特定のタスクを実行するまたは特定の抽象データタイプを実現する、ルーチン、プログラム、オブジェクト、コンポーネント、データ構造等を含んでいてもよい。コンピュータ実行可能な命令、関係するデータ構造、および、プログラムモジュールは、ここで開示する方法のステップを実行するためのプログラムコードの例を表す。このような実行可能な命令または関係するデータ構造の特定のシーケンスは、このようなステップまたはプロセス中に記述されている機能を実現するための対応する動作の例を表す。
【００６７】
ここで開示した態様に関連して説明した、さまざまな例示的な論理、論理ブロック、モジュールおよび回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、ディスクリートゲートまたはトランジスタ論理、ディスクリートハードウェアコンポーネント、あるいは、ここで説明した機能を実行するために設計されたこれらの何らかの組み合わせで、実現あるいは実行してもよい。汎用プロセッサはマイクロプロセッサであってもよいが、代替実施形態では、プロセッサは、何らかの従来のプロセッサ、制御装置、マイクロ制御装置、または、状態機械であってもよい。プロセッサはまた、コンピューティングデバイスの組み合わせとして、例えば、ＤＳＰとマイクロプロセッサの組み合わせ、複数のマイクロプロセッサ、ＤＳＰコアを伴った１つ以上のマイクロプロセッサ、あるいは、このようなコンフィギュレーションの他の何らかのものとして実現してもよい。付加的に、少なくとも１つのプロセッサは、上記で説明したステップおよび／またはアクションのうちの１つ以上を実行するように動作可能である１つ以上のモジュールを含んでいてもよい。
【００６８】
ソフトウェアインプリメンテーションのために、ここで説明した機能を実行するモジュール（例えば、手順、関数等）により、ここで説明した技術を実現してもよい。ソフトウェアコードは、メモリユニット中に記憶されて、プロセッサによって実行されてもよい。技術的に知られているようなさまざまな手段によって、メモリユニットをプロセッサに通信可能に結合することができる場合に、メモリユニットはプロセッサ内部またはプロセッサ外部で実現されてもよい。さらに、少なくとも１つのプロセッサは、ここで説明した機能を実行するように動作可能である１つ以上のモジュールを含んでいてもよい。
【００６９】
ここで説明する技術は、ＣＤＭＡ、ＴＤＭＡ、ＦＤＭＡ、ＯＦＤＭＡ、ＳＣ−ＦＤＭＡ、および、他のシステムのような、さまざまなワイヤレス通信システムに対して使用してもよい。“システム”および“ネットワーク”という用語は、区別なく使用することが多い。ＣＤＭＡシステムは、ユニバーサル地上無線アクセス（ＵＴＲＡ）、ＣＤＭＡ２０００等のような無線技術を実現してもよい。ＵＴＲＡは、ワイドバンドＣＤＭＡ（Ｗ−ＣＤＭＡ）と、ＣＤＭＡの他の変形とを含んでいる。さらに、ＣＤＭＡ２０００は、ＩＳ−２０００、ＩＳ−９５、および、ＩＳ−８５６標準規格をカバーしている。ＴＤＭＡシステムは、グローバルシステムフォーモバイルコミュニケーション（ＧＳＭ）のような無線技術を実現してもよい。ＯＦＤＭＡシステムは、エボルブドＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュ−ＯＦＤＭ（登録商標）等のような、無線技術を実現してもよい。ＵＴＲＡおよびＥ−ＵＴＲＡは、ユニバーサルモバイルテレコミュニケーションシステム（ＵＭＴＳ）の一部である。３ＧＰＰロングタームエボリューション（ＬＴＥ）は、Ｅ−ＵＴＲＡを使用するＵＭＴＳのリリースであり、ダウンリンク上ではＯＦＤＭＡを用いて、アップリンク上ではＳＣ−ＦＤＭＡを用いる。ＵＴＲＡと、Ｅ−ＵＴＲＡと、ＵＭＴＳと、ＬＴＥと、ＧＳＭとは、“第三世代パートナーシッププロジェクト”（３ＧＰＰ）という名の組織による文書中に記述されている。付加的に、ＣＤＭＡ２０００とＵＭＢは、“第三世代パートナーシッププロジェクト２”（３ＧＰＰ２）という名の組織による文書中に記述されている。さらに、このようなワイヤレス通信システムは、付加的に、対でないライセンスされていないスペクトル、８０２．ｘｘワイヤレスＬＡＮ、ブルートゥース（登録商標）、および、他の何らかの短距離または長距離のワイヤレス通信技術を使用することが多い、ピア・ツー・ピア（例えば、ユーザ機器対ユーザ機器）アドホックネットワークシステムを含んでいてもよい。
【００７０】
単一搬送波変調と周波数ドメイン等化とを利用する単一搬送波周波数分割多元接続（ＳＣ−ＦＤＭＡ）は、開示する実施形態とともに利用することができる技術である。ＳＣ−ＦＤＭＡは、ＯＦＤＭＡシステムのものと、類似する性能と、事実上類似する全体的な複雑さとを有している。ＳＣ−ＦＤＭＡ信号は、その固有の単一搬送波構造のために、より低いピーク対平均電力比（ＰＡＰＲ）を有している。送信電力効率性の観点から、より低いＰＡＰＲがユーザ機器に非常に利益をもたらすアップリンク通信において、ＳＣ−ＦＤＭＡを利用することができる。
【００７１】
さらに、標準のプログラミングおよび／またはエンジニアリング技術を使用して、方法、装置、または、製造物として、ここで説明するさまざまな態様または特徴を実現してもよい。ここで使用するような用語“製造物”は、何らかのコンピュータ読取可能デバイス、キャリア、または、媒体から、アクセス可能なコンピュータプログラムを含むことを意図している。例えば、コンピュータ読取可能媒体は、これらに限定されないが、磁気記憶デバイス（例えば、ハードディスク、フロッピーディスク、磁気ストリップ等）や、光ディスク（例えば、コンパクトディスク（ＣＤ）、デジタル多用途ディスク（ＤＶＤ）等）や、スマートカードや、フラッシュメモリデバイス（例えば、ＥＰＲＯＭ、カード、スティック、キードライブ等）を含むことができる。付加的に、ここで説明するさまざまな記憶媒体は、情報を記憶するための１つ以上のデバイスおよび／または他の機械読取可能媒体を表すことができる。用語“機械読取可能媒体”は、これらに限定されないが、ワイヤレスチャネルと、命令および／またはデータを記憶する、含む、ならびに／あるいは、伝えることが可能なさまざまな他の媒体とを含むことができる。付加的に、コンピュータプログラムプロダクトは、ここで説明する機能をコンピュータに実行させるように動作可能な１つ以上の命令またはコードを有するコンピュータ読取可能媒体を具備していてもよい。
【００７２】
さらに、ここで開示した態様に関連して説明した方法あるいはアルゴリズムのステップおよび／またはアクションは、直接、ハードウェアで、プロセッサにより実行されるソフトウェアモジュールで、あるいは、２つの組み合わせで具現化してもよい。ソフトウェアモジュールは、ＲＡＭメモリ、フラッシュメモリ、ＲＯＭメモリ、ＥＰＲＯＭメモリ、ＥＥＰＲＯＭメモリ、レジスタ、ハードディスク、リムーブバルディスク、ＣＤ−ＲＯＭ、あるいは、技術的に知られている他の何らかの形態の記憶媒体に存在していてもよい。例示的な記憶媒体は、プロセッサが記憶媒体から情報を読み取り、記憶媒体に情報を書き込むことができるようにプロセッサに結合されてもよい。代替実施形態では、記憶媒体はプロセッサと一体化されてもよい。さらに、いくつかの実施形態では、プロセッサおよび記憶媒体は、ＡＳＩＣ中に存在してもよい。付加的に、ＡＳＩＣは、ユーザ機器に存在してもよい。代替実施形態では、プロセッサおよび記憶媒体は、ユーザ機器中のディスクリートコンポーネントとして存在してもよい。付加的に、何らかの実施形態では、方法あるいはアルゴリズムのステップおよび／またはアクションは、１組のまたは任意の組のコードおよび／または命令として、あるいは、コードおよび／または命令の任意の組み合わせとして、機械読取可能媒体上ならびに／あるいはコンピュータ読取可能媒体上に存在してもよく、これらは、コンピュータプログラムプロダクト中に組み込んでもよい。
【００７３】
先の開示は例示的な実施形態を論じたが、添付の特許請求の範囲により規定されるような説明した実施形態の範囲から逸脱することなく、さまざまな変更および改良をここで行うことができることに留意すべきである。したがって、説明する実施形態は、添付の特許請求の範囲内にあるこのようなすべての変更、改良、およびバリエーションを含むことを意図している。さらに、説明した実施形態のエレメントは、単数形で説明またはクレームしてもよいが、単数形への限定が明示的に述べられていない限り、複数形が企図されている。付加的に、そうではないと述べられていない限り、他の何らかの実施形態のすべてまたは一部とともに、何らかの実施形態のすべてまたは一部を利用してもよい。
【００７４】
“含む”という用語が詳細な説明または特許請求の範囲のいずれかで使用される限り、このような用語は、請求項中で移行語として用いられるときに“具備する”が解釈されるように、用語“具備する”に類似した方法で包括的であることが意図されている。さらに、詳細な説明または特許請求の範囲のいずれかで使用される“または”という用語は、排他的な“または”というよりむしろ、包含的な“または”を意味することを意図している。すなわち、そうではないと指定されていない限り、または、文脈から明らかでない限り、“ＸがＡまたはＢを用いる”というフレーズは、自然な包含的順列のうちのいずれかを意味することを意図している。すなわち、“ＸがＡまたはＢを用いる”というフレーズは、以下の例のうちのいずれのものによっても満たされる：ＸがＡを用いる；ＸがＢを用いる；または、ＸがＡおよびＢの双方とも用いる。加えて、本出願および添付した特許請求の範囲で使用した冠詞“ａ”および“ａｎ”は、そうではないと指定されていない限り、または、単数形を意図する文脈から明らかでない限り、一般的に、“１つ以上”を意味すると解釈すべきである。
以下に、本願出願の当初の特許請求の範囲に記載された発明を付記する。
［１］ワイヤレス通信デバイスにおける方法において、
セクタのクラスターを構成する複数の送信セクタから受信した複数の信号のそれぞれの受信信号強度を決定することと、
最も高い受信信号強度を有する信号と、前記最も高い受信信号強度と比較した特定レベルを上回る受信信号強度を有する信号とを含む第１の信号に対する第１のチャネル情報を提供することと、
前記特定レベルを下回る受信信号強度を有する信号を含む第２の信号に対する第２のチャネル情報を提供することと、
前記第１のチャネル情報のランキングに基づいて、割り当てられた送信セクタからの１つ以上のリソースブロックの割り振りを受信し、それにより、前記第２のチャネル情報に基づいて、別の送信セクタからの前記１つ以上のリソースブロックが、別のワイヤレス通信デバイスに再割り振りされることとを含む方法。
［２］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［１］に記載の方法。
［３］前記チャネル状態情報は、チャネル品質インジケータを含む［２］に記載の方法。
［４］前記ワイヤレス通信デバイスにおいて前記最も高い受信信号強度を有する信号を送信する送信セクタに、前記第１のチャネル情報と前記第２のチャネル情報が提供される［１］に記載の方法。
［５］前記ワイヤレス通信デバイスは、前記セクタのクラスターのうちの第１の送信セクタ中に位置し、他のワイヤレスデバイスは、前記セクタのクラスター中の別の送信セクタ中に位置する［１］に記載の方法。
［６］ワイヤレス通信デバイスにおいて、
セクタのクラスターを構成する複数の送信セクタから受信した複数の信号のそれぞれの受信信号強度を決定するようにと、
最も高い受信信号強度を有する信号と、前記最も高い受信信号強度と比較した特定レベルを上回る受信信号強度を有する信号とを含む第１の信号に対する第１のチャネル情報を提供するようにと、
前記特定レベルを下回る受信信号強度を有する信号を含む第２の信号に対する第２のチャネル情報を提供するようにと、
前記第１のチャネル情報のランキングに基づいて、割り当てられた送信セクタからの１つ以上のリソースブロックの割り振りを受信し、それにより、前記第２のチャネル情報に基づいて、別の送信セクタからの前記１つ以上のリソースブロックが、別のワイヤレス通信デバイスに再割り振りされるように構成されている少なくとも１つのプロセッサを具備するワイヤレス通信デバイス。
［７］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［６］に記載のワイヤレス通信デバイス。
［８］前記チャネル状態情報は、チャネル品質インジケータを含む［７］に記載のワイヤレス通信デバイス。
［９］前記少なくとも１つのプロセッサは、前記ワイヤレス通信デバイスにおいて前記最も高い受信信号強度を有する信号を送信する送信セクタに、前記第１のチャネル情報と前記第２のチャネル情報を提供するようにさらに構成されている［６］に記載のワイヤレス通信デバイス。
［１０］前記ワイヤレス通信デバイスは、前記セクタのクラスターのうちの第１の送信セクタ中に位置し、他のワイヤレスデバイスは、前記セクタのクラスター中の別の送信セクタ中に位置する［６］に記載のワイヤレス通信デバイス。
［１１］ワイヤレス通信デバイス中の一時的でないコンピュータ読取可能媒体上で具現化されるコンピュータプログラムプロダクトにおいて、
セクタのクラスターを構成する複数の送信セクタから受信した複数の信号のそれぞれの受信信号強度を決定するためのプログラムコードと、
最も高い受信信号強度を有する信号と、前記最も高い受信信号強度と比較した特定レベルを上回る受信信号強度を有する信号とを含む第１の信号に対する第１のチャネル情報を提供するためのプログラムコードと、
前記特定レベルを下回る受信信号強度を有する信号を含む第２の信号に対する第２のチャネル情報を提供するためのプログラムコードと、
前記第１のチャネル情報のランキングに基づいて、割り当てられた送信セクタからの１つ以上のリソースブロックの割り振りを受信し、それにより、前記第２のチャネル情報に基づいて、別の送信セクタからの前記１つ以上のリソースブロックが、別のワイヤレス通信デバイスに再割り振りされるためのプログラムコードとを含むコンピュータプログラムプロダクト。
［１２］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［１１］に記載のコンピュータプログラムプロダクト。
［１３］前記チャネル状態情報は、チャネル品質インジケータを含む［１２］に記載のコンピュータプログラムプロダクト。
［１４］ワイヤレス通信デバイスにおいて、
セクタのクラスターを構成する複数の送信セクタから受信した複数の信号のそれぞれの受信信号強度を決定する手段と、
最も高い受信信号強度を有する信号と、前記最も高い受信信号強度と比較した特定レベルを上回る受信信号強度を有する信号とを含む第１の信号に対する第１のチャネル情報を提供する手段と、
前記特定レベルを下回る受信信号強度を有する信号を含む第２の信号に対する第２のチャネル情報を提供する手段と、
前記第１のチャネル情報のランキングに基づいて、割り当てられた送信セクタからの１つ以上のリソースブロックの割り振りを受信し、それにより、前記第２のチャネル情報に基づいて、別の送信セクタからの前記１つ以上のリソースブロックが、別のワイヤレス通信デバイスに再割り振りされる手段とを具備するワイヤレス通信デバイス。
［１５］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［１４］に記載のワイヤレス通信デバイス。
［１６］前記チャネル状態情報は、チャネル品質インジケータを含む［１５］に記載のワイヤレス通信デバイス。
［１７］ワイヤレスネットワークにおける方法において、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントにおいて、前記セクタのクラスターのうちの第１のセクタ中にある前記第１のワイヤレス通信デバイスから受信することと、
前記特定レベルを下回る受信信号強度を有する信号を含む、前記第１のワイヤレス通信デバイスにより受信した第２の信号に対する第２のチャネル情報を、前記第１の送信ポイントにおいて、前記第１のワイヤレス通信デバイスから受信することと、
前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振ることと、
前記第２のチャネル情報に基づいて、前記セクタのクラスター中の第２の送信ポイントからの前記リソースブロックを、前記セクタのクラスターのうちの第２のセクタ中の第２のワイヤレス通信デバイスに再割り振りすることとを含む方法。
［１８］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［１７］に記載の方法。
［１９］前記チャネル状態情報は、チャネル品質インジケータを含む［１８］に記載の方法。
［２０］ワイヤレスネットワークデバイスにおいて、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントにおいて、前記セクタのクラスターのうちの第１のセクタ中にある前記第１のワイヤレス通信デバイスから受信するようにと、
前記特定レベルを下回る受信信号強度を有する信号を含む、前記第１のワイヤレス通信デバイスにより受信した第２の信号に対する第２のチャネル情報を、前記第１の送信ポイントにおいて、前記第１のワイヤレス通信デバイスから受信するようにと、
前記第１のワイヤレス通信デバイスから受信した前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振るようにと、
前記第１のワイヤレス通信デバイスから受信した前記第２のチャネル情報に基づいて、前記セクタのクラスター中の第２の送信ポイントからの前記リソースブロックを、前記セクタのクラスターのうちの第２のセクタ中の第２のワイヤレス通信デバイスに再割り振りするように構成されている少なくとも１つのプロセッサを具備するワイヤレスネットワークデバイス。
［２１］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［２０］に記載のワイヤレスネットワークデバイス。
［２２］前記チャネル状態情報は、チャネル品質インジケータを含む［２１］に記載のワイヤレスネットワークデバイス。
［２３］ワイヤレスネットワークデバイス中の一時的でないコンピュータ読取可能媒体上で具現化されるコンピュータプログラムプロダクトにおいて、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントにおいて、前記セクタのクラスターのうちの第１のセクタ中にある前記第１のワイヤレス通信デバイスから受信するためのプログラムコードと、
前記特定レベルを下回る受信信号強度を有する信号を含む、前記第１のワイヤレス通信デバイスにより受信した第２の信号に対する第２のチャネル情報を、前記第１の送信ポイントにおいて、前記第１のワイヤレス通信デバイスから受信することと、
前記第１のワイヤレス通信デバイスから受信した前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振るためのプログラムコードと、
前記第１のワイヤレス通信デバイスから受信した前記第２のチャネル情報に基づいて、前記セクタのクラスター中の第２の送信ポイントからの前記リソースブロックを、前記セクタのクラスターのうちの第２のセクタ中の第２のワイヤレス通信デバイスに再割り振りするためのプログラムコードとを含むコンピュータプログラムプロダクト。
［２４］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［２３］に記載のコンピュータプログラムプロダクト。
［２５］前記チャネル状態情報は、チャネル品質インジケータを含む［２４］に記載のコンピュータプログラムプロダクト。
［２６］ワイヤレスネットワークデバイスにおいて、
最も高い受信信号強度を有する信号と、前記最も高い受信信号強度と比較した特定レベルを上回る受信信号強度を有する信号とを含む、第１のワイヤレス通信デバイスにより受信した第１の信号に対する第１のチャネル情報を、セクタのクラスター中の第１の送信ポイントにおいて、前記セクタのクラスターのうちの第１のセクタ中にある前記第１のワイヤレス通信デバイスから受信する手段と、
前記特定レベルを下回る受信信号強度を有する信号を含む、前記第１のワイヤレス通信デバイスにより受信した第２の信号に対する第２のチャネル情報を、前記第１の送信ポイントにおいて、前記第１のワイヤレス通信デバイスから受信することと、
前記第１のワイヤレス通信デバイスから受信した前記第１のチャネル情報に基づいて、前記第１の送信ポイントを含む送信ポイントを前記第１のワイヤレス通信デバイスに割り当て、前記送信ポイントからのリソースブロックを前記第１のワイヤレス通信デバイスに割り振る手段と、
前記第１のワイヤレス通信デバイスから受信した前記第２のチャネル情報に基づいて、前記セクタのクラスター中の第２の送信ポイントからの前記リソースブロックを、前記セクタのクラスターのうちの第２のセクタ中の第２のワイヤレス通信デバイスに再割り振りする手段とを具備するワイヤレスネットワークデバイス。
［２７］前記第１のチャネル情報は、前記第１の信号のそれぞれに対する、チャネル状態情報と送信セクタインデックスとを含み、
前記第２のチャネル情報は、前記第２の信号のそれぞれに対する送信セクタインデックスを含む［２６］に記載のワイヤレスネットワークデバイス。
［２８］前記チャネル状態情報は、チャネル品質インジケータを含む［２７］に記載のワイヤレスネットワークデバイス。
【図１】
0005485383.tif 000002
【図２】
0005485383.tif 000003
【図３】
0005485383.tif 000004
【図４】
0005485383.tif 000005
【図５】
0005485383.tif 000006
【図６】
0005485383.tif 000007
【図７】
0005485383.tif 000008